(57)【要約】      （修正有）【課題】タオルペーパー、キッチンペーパー等の比較的硬質のシートに対してもスムースにシートを供給することができるシート供給具を提供する。【解決手段】シートの上部を略円筒形の左右一対の回転ガイド手段で挟み、シートの取出しに従って、左右いずれかの前記回転ガイド手段が回転しながら、第１シートを送出し、前記折挟み部が通過するとき前記回転ガイド手段が上方に移動しながら第１シートの外面を回転することにより、第２シートの上部を左右一対の回転ガイド手段の間に送り込み、前記シートが連続してスムースに排出されることを特徴とするシート供給具である。【選択図】図１
0003150220.tif 000002
【実用新案登録請求の範囲】
【請求項１】
シートを互いに折り挟んで構成した折挟み部を有し、積層シート束から前記シートの上部を取出して順番に１枚ずつ取出すシート供給具であって、
シートの上部を略円筒形の左右一対の回転ガイド手段で挟み、シートの取出しに従って、左右いずれかの前記回転ガイド手段が回転しながら、第１シートを送出し、前記折挟み部が通過するとき前記回転ガイド手段が上方に移動しながら第１シートの外面を回転することにより、第２シートの上部を左右一対の回転ガイド手段の間に送り込み、前記シートが連続してスムースに排出されることを特徴とするシート供給具。
【請求項２】
左右一対の回転ガイド手段の外半径Ｅを、７．０〜２５ｍｍの範囲とすることを特徴とする請求項１記載のシート供給具。
【請求項３】
左右一対の回転ガイド手段の最小接近距離Ｃを制限する内側ストッパー手段を有することを特徴とする請求項１または２記載のシート供給具。
【請求項４】
左右一対の回転ガイド手段の最小接近距離Ｃを制限する内側ストッパー手段と、最大距離Ｄを制限する外側ストッパーとを有することを特徴とする請求項１、２または３記載のシート供給具。
【請求項５】
左右一対の回転ガイド手段の最小接近距離Ｃを６ｍｍ以上に制限する内側ストッパー手段と、最大距離Ｄを、３５ｍｍ以下に制限する外側ストッパーとを有することを特徴とする請求項１、２、３または４記載のシート供給具。
【請求項６】
左右一対の回転ガイド手段は、最小接近距離Ｃを６ｍｍ以上に制限し、及び最大距離Ｄを３５ｍｍ以下に制限する支持ストッパー手段に遊嵌しており、前記支持ストッパー手段が取付けられた落し蓋が、シート収容箱の内側を上下し、該落し蓋の自重により、自動的に積層シート束の上面に移動することを特徴とする請求項１または２記載のシート供給具。
【請求項７】
左右一対の回転ガイド手段は、最小接近距離Ｃを６ｍｍ以上に制限し、及び最大距離Ｄを３５ｍｍ以下に制限する支持ストッパー手段に遊嵌しており、前記支持ストッパー手段が取付けられた側板付落し蓋が、積層シート束の上面を覆うことにより、シートに水滴等がかからないと共に該側板付落し蓋の自重により、自動的に積層シート束の上面に移動することを特徴とする請求項１、または２記載のシート供給具。
【請求項８】
積層シート束を収容するシート収容箱内の底部に、内側に向かって下方に傾斜した一対の傾斜部を設けることにより左右一対の前記回転ガイド手段が、自重により接近することを特徴とする請求項１、または２記載のシート供給具。
【請求項９】
左右一対の回転ガイド手段の夫々の重量を１００グラム以上とすることを特徴とする請求項１〜８記載のシート供給具。
【考案の詳細な説明】
【技術分野】
【０００１】  本考案は、タオルペーパー、ティシュペーパー、キッチンペーパー等のシート供給具に関する。
【背景技術】
【０００２】  従来より、ティシュペーパー等の軟質紙に対する供給具が数多く供給されてきたがタオルペーパー、キッチンペーパー等の比較的硬質のシートの供給具は、実際上の欠点を解消したものが無かった。【０００３】  ティシュペーパーにおいては、紙厚が薄く、また紙質が軟らかいので、シートは立体的に変形し、比較的スムースに排出されるが、タオルペーパー、キッチンペーパー等の比較的硬質のシートは、折挟み部が、強度を持っているため、曲がりにくいため、スムースにシートを供給できるシート供給具が提供されてなかった。【０００４】  ティシュペーパーにおける構成としては、［特開２００５−１８７０６６号］（以下、「引例」という）が提案されている。
しかしこの引例においても、タオルペーパー、キッチンペーパー等の比較的硬質のシートに対しては、第２シートがスムースに排出されないという欠点を有していた。【０００５】  その欠点を具体的に述べると、「引例の図６〜図１１」にシートが排出される際の様子が示してあるが、実際は、図２４から図２７に示すような不具合が発生していた。
図２２は、「引例の図７」を示すもので、この状態までは、第１シートが引き出されるが、これ以上引出した場合は、図２３（「引例の図８」）のようには、必ずしもならない不具合が多く発生することが確認された。【０００６】  すなわち、図２４に示すごとく、折挟み部が開かれた場合に、第２シートは第１の面接触板（引例中２３）のコーナー部に当り、図２５に示すごとくコーナー部で、はじかれてしまう現象が多く見られた。
従って図２６に示すように、積層したシート束の方に戻ってしまい、第２紙は、取出せなくなるトラブルが、時々発生し連続排出が出来なくなることがあった。【０００７】    また、図２７に示すように、面接触板間に引上げられた場合も、逆方向に折畳まれた状態で排出され、第２シートの詰まり現象となっていた。
これらの発生は、面接触板が相対的に固定されているため、折畳み部の通過時、第１の面接触板（引例中２３）が、上方や左方向に移動しないため、障害物となってしまうためである。【０００８】  また、第１、第２の面接触板は、シートに対し面接触であるため、摩擦力が大きく、力を入れて引上げると、第１シートと、第２シート間の摩擦力が負けて、第１シートが滑って出てしまうためであった。
従って、時々連続排出が出来なくなるシート取出し補助具は、実際の使用においては不具合の多い品物であり、使用者の期待を満足するものでなかった。
【特許文献１】特開２００５−１８７０６６
【考案の開示】
【考案が解決しようとする課題】
【０００９】    本考案は、これらの欠点をまったく排除した画期的なシート供給具を提供するものである。
特にタオルペーパー、キッチンペーパー等の比較的硬質のシートに対してスムースな排出が出来ると共に、ティシュペーパー等の軟質紙に対しても同様の効果を発揮することが出来る。
【課題を解決するための手段】
【００１０】  シートを互いに折り挟んで構成した折挟み部を有し、積層シート束から前記シートの上部を取出して順番に１枚ずつ取出すシート供給具であって、
シートの上部を略円筒形の左右一対の回転ガイド手段で挟み、シートの取出しに従って、左右いずれかの前記回転ガイド手段が回転しながら、第１シートを送出し、前記折挟み部が通過するとき前記回転ガイド手段が上方に移動しながら第１シートの外面を回転することにより、第２シートの上部を左右一対の回転ガイド手段の間に送り込み、前記シートが連続してスムースに排出されることを特徴とするシート供給具を提供する。【００１１】  左右一対の回転ガイド手段の外半径Ｅを、７．０〜２５ｍｍの範囲とすることを特徴とする請求項１記載のシート供給具を提供する。【００１２】  左右一対の回転ガイド手段の最小接近距離Ｃを制限する内側ストッパー手段を有することを特徴とする請求項１または２記載のシート供給具を提供する。【００１３】  左右一対の回転ガイド手段の最小接近距離Ｃを制限する内側ストッパー手段と、最大距離Ｄを制限する外側ストッパーとを有することを特徴とする請求項１、２または３記載のシート供給具を提供する。【００１４】  左右一対の回転ガイド手段の最小接近距離Ｃを６ｍｍ以上に制限する内側ストッパー手段と、最大距離Ｄを、３５ｍｍ以下に制限する外側ストッパーとを有することを特徴とする請求項１、２、３または４記載のシート供給具を提供する。【００１５】  左右一対の回転ガイド手段は、最小接近距離Ｃを６ｍｍ以上に制限し、及び最大距離Ｄを３５ｍｍ以下に制限する支持ストッパー手段に遊嵌しており、前記支持ストッパー手段が取付けられた落し蓋が、シート収容箱の内側を上下し、該落し蓋の自重により、自動的に積層シート束の上面に移動することを特徴とする請求項１または２記載のシート供給具を提供する。【００１６】  左右一対の回転ガイド手段は、最小接近距離Ｃを６ｍｍ以上に制限し、及び最大距離Ｄを３５ｍｍ以下に制限する支持ストッパー手段に遊嵌しており、前記支持ストッパー手段が取付けられた側板付落し蓋が、積層シート束の上面を覆うことにより、シートに水滴等がかからないと共に該側板付落し蓋の自重により、自動的に積層シート束の上面に移動することを特徴とする請求項１、または２記載のシート供給具を提供する。【００１７】  積層シート束を収容したシート収容箱の底部に、内側に向かって下方に傾斜した一対の傾斜部を設けることにより左右一対の前記回転ガイド手段が、自重により接近することを特徴とする請求項１、または２記載のシート供給具を提供する。【００１８】  左右一対の回転ガイド手段の夫々の重量を１００グラム以上とすることを特徴とする請求項１〜８記載のシート供給具を提供する。
【考案の効果】
【００１９】    本考案のシート供給具は、下記の優れた効果を発揮するものである。
（１）シートの連続供給が途切れたり、入れ直しが全くなくなるので、常に最適状態で      使用できる。
（２）引出されたシートが折り重なって詰ることが無い。
（３）左右一対の回転ガイド手段をシートの上に置くだけでセットできる。
（４）落し蓋式や側板付落し蓋式を使用すると、シートに水滴等がかかりにくく使いや      すいものとなる。
（５）回転摩擦であるため引出し力が小さいので、落し蓋や、回転ガイド手段を手で押      さえることなく片手でシートを取出せる。
（６）棚、机上等に置けるので、壁掛け式以外の汎用性がある。
【考案を実施するための最良の形態】
【００２０】  本考案は、考案の効果に前述した如く、軟質のシートはもとより、硬質のシートにおいても、シートの詰りが発生しない画期的な構成があることに気付いたものである。【００２１】  なお、本考案の前記ならびにそのほかの目的と新規な特徴は次の説明を添付図面と照らし合わせて読むと、より完全に明らかになるであろう。
ただし、図面はもっぱら解説のためのものであって、本考案の技術的範囲を限定するものではない。以下図面に基づいて詳細を説明する。
【実施例１】
【００２２】  以下、本考案の実施例１について、図面を参照しながら説明する。
図１は、本実施例の全体斜視図を示すものである。なお、構造の理解を助けるためシート収容箱１は、２点鎖線で示した。
シート収容箱１の中には、積層シート束２が収容され、その上面に左右一対の回転ガイド手段３、４が載置され、積層シート束２の第１シート５が、例えば右の回転ガイド手段３との間に挟まれている。
第２シート６は、第１シート５の折挟み部５ａにその上端が挟まれ、それが連続して全体の積層シート束２を構成している。【００２３】  図２は、実施例１の正面図を示すもので、第１シート５は、右のガイド手段３と、左の回転ガイド手段４に挟まれて、起立状態となっているため、シートの取出しが容易となっている。【００２４】  前記折挟み部５ａは、現実のシートの取出しにおいては、折挟み部５ａ以外の部分の、シートは変形しやすいが、折挟み部５ａの部分は、第１シートの折返し部分と第２シートの先端部が、あたかも一体の構成部分のように、変形抵抗が大きいことが確認された。
該折挟み部５ａの幅Ａは、シートの材質にもよるが、通常１０から３０ｍｍであることが、多数回の実験で確かめられた。
従って、第１シート５を上方に更に引出すと、図３に拡大図示するごとく、折挟み部５ａにより右の回転ガイド手段３が持上げられる。【００２５】  図４に示すごとく更に引き上がられると、右の回転ガイド手段３が更に持上げられ、２点鎖線で示す図２の位置より、上方に距離Ｂだけ移動する。
距離Ｂは、シートの材質、シートを引出す速さ等により変化するが、多数回の実験によりＢ＝８〜２０ｍｍであることが確認された。【００２６】  この状態から、図５に示す状態となると、右の回転ガイド手段３は第１シート５の表面に沿いながら時計方向に回転し距離Ｂだけ持上げられる。
そのための先端は、必ず左の回転ガイド手段４の略中心位置近くまで持上げられるため第２シートが絡んだり、積層シート束２の上面に戻ったりしないことが発見されたのである。この回転ガイド手段３の動きが、本考案の根幹をなす画期的な発見なのである。【００２７】  そして図５に示すように、折挟み部５ａが開かれて、次の時点で図６に示すように落下し、図７に示す最初の状態に戻り、次は左の回転ガイド手段４が持上げられて、動作が繰り返されるのである。
従って、第２シートは、必ず右の回転ガイド手段３と、左の回転ガイド手段４に挟まれて、起立状態となっているため、シートの取出しが常に容易となっている。【００２８】  折挟み部５ａの幅Ａが、シートの材質にもよるが、通常１０〜３０ｍｍであることが、多数回の実験で確かめられていることより、それに適合した回転ガイド手段３、４の半径Ｅは、少しだけ小径とすると折挟み部５ａの上に乗りやすいため、適合する半径Ｅは、７．０〜２５ｍｍとすることが最適となることが解明されたのである。
回転ガイド手段３、４の材質は、合成樹脂、木材、ガラス、紙、金属、セラミックス等で構成され、中実体でも良い。または、中空体の筒体とし、内部に重錘体を内包して構成しても良い。
【実施例２】
【００２９】  図８に本考案の実施例２の全体斜視図を示し、図９は、図８のシート収容箱の長手方向に直角な断面図を示すものである。
右の回転ガイド手段３と、左の回転ガイド手段４の間には、それらの接近距離を制限するための内側ストッパー手段７が設けられている。内側ストッパー手段７は、右の回転ガイド手段３と、左の回転ガイド手段４の最小接近距離Ｃに、制限することにより更に、右の回転ガイド手段３と、左の回転ガイド手段４の干渉が無く、第２シートが取出される際に、Ｃだけ空間があるため、スムースに取出されるためである。
【実施例３】
【００３０】  図１０に、本考案の実施例３の収容箱の長手方向に直角な断面図を示すものである。
右の回転ガイド手段３と、左の回転ガイド手段４の間の内側ストッパー手段７と共に、外側ストッパー手段８が、右の回転ガイド手段３と、左の回転ガイド手段４の最大距離をＤに、制限するように設けられている。
外側ストッパー手段８により、右の回転ガイド手段３と、左の回転ガイド手段４の最大距離がＤに、制限されるため中央部に挟まったシートの上端が倒れないため、取出しがし易くなるためである。【００３１】  前記最小接近距離のＣと最大距離のＤは、数１００回における実験により、表１に示すごとく、最適範囲があることが発見された。【００３２】
【表１】
0003150220.tif 000003
0003150220.tif 000004
【００３３】  表１に示すごとく、最小接近距離のＣは、１ｍｍ〜５ｍｍの間は、シート詰りが発生したが、６ｍｍ以上に、するとシートの詰りが全く起きないという現象を発見した。
従って最小接近距離のＣは、６ｍｍ以上に設定することが望ましいことが分かった。
最大距離のＤに関しては、最大距離Ｄが、１０〜３０ｍｍまでは不良な起立は無く、３５ｍｍ以上になると発生することが分かった。従って最大距離のＤは、３５ｍｍ以下に設定することが望ましいことが分かった。
また、右の回転ガイド手段３と、左の回転ガイド手段４の重量に関しても表２に示すごとく、最適値があることが分かった。【００３４】
【表２】
0003150220.tif 000005
【００３５】  表２の実験結果から回転ガイド手段１本当りの重量（グラム）と、回転ガイド手段飛び出し回数との関係は、シート幅の中心近くの中央取出しでは、いずれの重量でも飛び出しは無かったが、シート幅の端部を持って取出した端部取出しの場合は、７０グラムのときは２０回中１２回飛び出したが、９５グラムで２回となり、１００グラムからは全く飛び出し現象は見られなかった。
従って回転ガイド手段１本当りの重量（グラム）は、１００グラム以上に設定することが望ましいことが分かった。
【実施例４】
【００３６】  実施例４は、請求項６に記載した実施例である。
図１１に本考案の実施例４の全体斜視図を示し、図１２は、図１１の収容箱の長手方向の断面図を示すものである。
右の回転ガイド手段３には、円形の窪み３ａ、３ｂを有しており、左の回転ガイド手段４の両端部には、円形の窪み４ａ、４ｂを有しており、該窪み３ａ、３ｂ、４ａ、４ｂには、落し蓋９に設けられた支持ストッパー手段１０に遊嵌しており、落し蓋９が、シート収容箱１の内側を上下し、該落し蓋９と回転ガイド手段の自重により、自動的に積層シート束の上面に移動するように構成されている。【００３７】  なお、前述の実施例と同様に、支持ストッパー手段１０の位置、及び寸法は、最小接近距離Ｃを６ｍｍ以上に制限し、及び最大距離Ｄを３５ミリ以下に制限するものとなっている。
回転ガイド手段３、４は、支持ストッパー手段１０に上架しているため、重力により支持ストッパー手段１０の中心に自然に位置するため、該支持ストッパー手段１０同士の位置を、設定することにより、最小接近距離Ｃを６ｍｍ以上に制限することができる。最大距離Ｄも、支持ストッパー手段１０の位置、及び寸法により、３５ミリ以下に制限することが出来る。
【実施例５】
【００３８】  実施例５は、請求項７に記載した実施例である。
図１３に本考案の実施例５の全体斜視図を示し、図１４は、図１３の収容箱の長手方向に直角な断面図を示すものである。
右の回転ガイド手段３には、円形の窪み３ａ、３ｂを有しており、左の回転ガイド手段４の両端部には、円形の窪み４ａ、４ｂを有しており、該窪み３ａ、３ｂ、４ａ、４ｂには、側板付落し蓋１１に設けられた支持ストッパー手段１０に遊嵌している。【００３９】  側板付落し蓋１１には、浅型シート収容箱１２の上部に設けられた少なくとも１本以上のガイド１３が、貫通するガイド孔１４を有しており、側板付落し蓋１１は、ガイド１３に導かれて、浅型シート収容箱１２に向かって自重で上下するように構成されている。
なお、前述の実施例と同様に、支持ストッパー手段１０の寸法、位置は、最小接近距離Ｃを６ｍｍに制限し、及び最大距離Ｄを３５ｍｍ以下に制限するものとなっている。【００４０】  この実施例５においては、側板付落し蓋１１は、シートの上面をほぼ全面を覆い、側板が、上部の側面を覆うため、手を拭いたり、調理したときの水滴等がシートにかかることを防止してくれるものである。
側板の高さＦは、右の回転ガイド手段３と、左の回転ガイド手段４の落下距離Ｇとほぼ同一とすると、最後のシートまで取出すことが可能なのである。
【実施例６】
【００４１】  本実施例は、実施例５の別の形態のものである。
実施例５の浅型シート収容箱１２、ガイド１３、ガイド孔１４を用いることなく、浅型シート収容箱１２の変わりに、市販時、積層シート束２を入れている樹脂フィルムケースや紙箱の上面の包装を切取ることにより、その上部に側板付落し蓋１１を、載置することにより、同様の効果を得ることができる。この形態によると、使用部品も少なく、シート収容箱に入換えることなく、シートに水滴等も付きにくい利点をもつものとなる。
【実施例７】
【００４２】  実施例７は、請求項８に記載した実施例である。
図１７に本考案の実施例５の全体斜視図を示し、図１８は、図１７の収容箱の長手方向に直角な断面図を示すものである。シート収容箱の底部には、内側に向かって下方に傾斜した傾斜部１５が設けられており、該傾斜部１５により積層シート束２は、略Ｖ字形に曲げられるため、右の回転ガイド手段３と、左の回転ガイド手段４は、自重により接近させられて積層シート束２の上部で、実施例１と同様の機能を発揮することが出来る。
なお、傾斜部１５は、平面状でも曲面状でも良い。
【実施例８】
【００４３】  図１９には、本考案の回転ガイド手段３または４の別の実施例の斜視図を示し、図２０は、長手方向の断面図を示し、図２１は、長手方向に直角な断面図を示している。
回転ガイド手段３または４の断面は、中空円筒状の筒体１６で構成されており、その開口の両端部には、蓋板１７が設けられている。
該筒体１６の材質は、合成樹脂、木材、ガラス、紙、金属、セラミックス等で構成されている。
また、中空部に入れられた、例えば、球体、または円筒体、粉体、流体等の重錘体１８が内部で自在に移動できるように構成されている。また、重錘体１８の材質は、合成樹脂、木材、ガラス、紙、金属、セラミックス、砂などの粉体、水等の液体で構成される。【００４４】  このように構成されることにより、図２１に示すように、筒体１６の図芯に対し重錘体１８の重心はＨだけ低くなるため右の回転ガイド手段３または左の回転ガイド手段４の重心が低くなる効果と、重錘体１８が内部で落下する衝撃でシートの排出をスムースにする効果を有するものである。【００４５】    ［変形実施例］
この考案は次のように変形して実施することを含むものである。【００４６】  （１）実施例７の中空円筒状の筒体１６を透明なガラスや合成樹脂で作ることより、内部のガラスや合成樹脂等の球体、円筒体である重錘体１８が見えることにより、意匠性の高い回転ガイド手段を提供する。【００４７】  （２）請求項６または７に示した実施例においては、回転ガイド手段３または４の取付方法は、回転ガイド手段３または４の端面に軸状等の突起を設けることにより落し蓋９、または側板付落し蓋１１に係合させる等の別の形態の取付方法を含むものである。
【産業上の利用可能性】
【００４８】  本考案の活用例としては、以上説明したように、詰り等の実用上の欠点が無いタオルペーパー、キッチンペーパー等の比較的硬質のシートの供給具や、ティシュペーパー等の軟質紙に対する供給具としても使用できる汎用性の高いシート供給具を提供することにより、新規製品による市場の活性化が期待できる。
【図面の簡単な説明】
【００４９】
【図１】本考案の実施例１の全体斜視図である。
【図２】本考案の実施例１の正面図である。
【図３】シート引出し状態の部分拡大図である。
【図４】シート引出し状態の部分拡大図である。
【図５】シート引出し状態の部分拡大図である。
【図６】シート引出し状態の部分拡大図である。
【図７】シート引出し状態の部分拡大図である。
【図８】本考案の実施例２の全体斜視図である。
【図９】本考案の実施例２の断面図である。
【図１０】本考案の実施例３の断面図である。
【図１１】本考案の実施例４の全体斜視図である。
【図１２】本考案の実施例４の断面図である。
【図１３】本考案の実施例５の全体斜視図である。
【図１４】本考案の実施例５の断面図である。
【図１５】本考案の実施例６の全体斜視図である。
【図１６】本考案の実施例６の断面図である。
【図１７】本考案の実施例７の全体斜視図である。
【図１８】本考案の実施例７の断面図である。
【図１９】本考案の実施例８の斜視図である。
【図２０】本考案の実施例８の断面図である。
【図２１】本考案の実施例８の断面図である。
【図２２】「引例の図７」を示す状態図である。
【図２３】「引例の図８」を示す状態図である。
【図２４】「引例」の不具合を示す状態図である。
【図２５】「引例」の不具合を示す状態図である。
【図２６】「引例」の不具合を示す状態図である。
【図２７】「引例」の不具合を示す状態図である。
【符号の説明】
【００５０】１        シート収容箱
２        積層シート束
３、４    回転ガイド手段
３ａ、３ｂ、４ａ、４ｂ  窪み
５        第１シート
５ａ      折挟み部
６        第２シート
７        内側ストッパー手段
８        外側ストッパー手段
９        落し蓋
１０      支持ストッパー手段
１１      側板付落し蓋
１２      浅型シート収容箱
１３      ガイド
１４      ガイド孔
１５      傾斜部
１６      筒体
１７      蓋板
１８      重錘体
【図１】
0003150220.tif 000006
【図２】
0003150220.tif 000007
【図３】
0003150220.tif 000008
【図４】
0003150220.tif 000009
【図５】
0003150220.tif 000010
【図６】
0003150220.tif 000011
【図７】
0003150220.tif 000012
【図８】
0003150220.tif 000013
【図９】
0003150220.tif 000014
【図１０】
0003150220.tif 000015
【図１１】
0003150220.tif 000016
【図１２】
0003150220.tif 000017
【図１３】
0003150220.tif 000018
【図１４】
0003150220.tif 000019
【図１５】
0003150220.tif 000020
【図１６】
0003150220.tif 000021
【図１７】
0003150220.tif 000022
【図１８】
0003150220.tif 000023
【図１９】
0003150220.tif 000024
【図２０】
0003150220.tif 000025
【図２１】
0003150220.tif 000026
【図２２】
0003150220.tif 000027
【図２３】
0003150220.tif 000028
【図２４】
0003150220.tif 000029
【図２５】
0003150220.tif 000030
【図２６】
0003150220.tif 000031
【図２７】
0003150220.tif 000032
【手続補正書】
【提出日】平成21年2月5日(2009.2.5)
【手続補正１】
【補正対象書類名】実用新案登録請求の範囲
【補正対象項目名】請求項９
【補正方法】変更
【補正の内容】
【請求項９】
左右一対の回転ガイド手段の夫々の重量を１００ｇ以上とする事を特徴とする請求項１〜８のいずれか一項に記載のシート供給具。